(57)【要約】  【課題】足場支柱に確実に固定することができ、作業者が足場の作業床から墜落するのを未然に防止することができる一側足場用手摺りを提供する。  【解決手段】多数の支柱２０と、支柱間２０を連結する連結材２１と、支柱２０から突出するように設けられたブラケットに掛け渡された作業床とを備えた一側足場において、作業床端部から作業者が墜落するのを防止するための手摺り１であって、手摺り本体２の端部に支柱２０及び連結材２１の双方にそれぞれ固定するための２つのクランプ７，８を設けたことを特徴とする一側足場用手摺りである。  【選択図】  図１
0003140827.tif 000002
【実用新案登録請求の範囲】
【請求項１】
多数の支柱と、支柱間を連結する連結材と、前記支柱から突出するように設けられたブラケットに掛け渡された作業床とを備えた一側足場において、前記作業床端部から作業者が墜落するのを防止するための手摺りであって、
手摺り本体の端部に前記支柱及び連結材の双方にそれぞれ固定するための２つのクランプを設けたことを特徴とする一側足場用手摺り。
【請求項２】
前記２つのクランプは、前記手摺り本体の外周に互いにほぼ９０度の角度間隔を置き、かつ軸方向に互いに前後差を置いて固定されていることを特徴とする請求項１記載の一側足場用手摺り。
【請求項３】
前記手摺り本体は外管と内管との二重管からなり、伸縮自在であることを特徴とする請求項１又は２記載の一側足場用手摺り。
【考案の詳細な説明】
【技術分野】
【０００１】
この考案は、一側足場用手摺りに関し、さらに詳細には、一側足場の作業床端部から作業者が誤って墜落するのを防止するための手摺りに関する。
【背景技術】
【０００２】
マンション等の建築物の外壁工事を施工する場合、外壁の周囲に作業足場が組み立てられる。足場としては、一般に本足場（枠組足場、単管足場、丸太足場）が採用されるが、敷地面積が狭い場合は、構造が簡単な一側足場が採用される。
【０００３】
一側足場は、例えばマンションの外壁工事の場合、次のようにして組み立てられる。外壁の周囲に単管を用いて多数の支柱を立設し、これら支柱間を単管を用いた連結材で連結して基本的な骨組みが組み立てる。そして支柱に多数のベランダブラケット及び伸縮ブラケットを取り付けて、ベランダブラケットにより骨組みをマンションのベランダに固定し、また伸縮ブラケット間に作業床を掛け渡す。
【０００４】
このような一側足場は簡易な足場構造であり、作業床の端部から作業者が墜落する危険性がある。このため、従来では作業床の端部上方において、伸縮ブラケットを支柱に取り付け、これをストッパーとして足場から作業者が墜落するのを防止している。しかしながら、伸縮ブラケットは支柱に単に１つのクランプを介して固定されるだけであり、このためクランプが緩むと伸縮ブラケットが支柱を中心に回転が可能となり、ストッパーとしての役目を果たさなくなる。その結果、作業者が足場から墜落する危険性が生じる。
【０００５】
この出願の考案に関連する先行技術情報としては、次のようなものがある。
【特許文献１】特開平１０−７７７３４
【考案の開示】
【考案が解決しようとする課題】
【０００６】
この考案は上記のような技術的背景に基づいてなされたものであって、次の目的を達成するものである。
この考案の目的は、足場支柱に確実に固定することができ、作業者が足場の作業床から墜落するのを未然に防止することができる一側足場用手摺りを提供することにある。
【課題を解決するための手段】
【０００７】
この考案は上記課題を達成するために、次のような手段を採用している。
すなわち、この考案は、多数の支柱と、支柱間を連結する連結材と、前記支柱から突出するように設けられたブラケットに掛け渡された作業床とを備えた一側足場において、前記作業床端部から作業者が墜落するのを防止するための手摺りであって、
手摺り本体の端部に前記支柱及び連結材の双方にそれぞれ固定するための２つのクランプを設けたことを特徴とする一側足場用手摺りにある。
【０００８】
より具体的には、前記２つのクランプは、前記手摺り本体の外周に互いにほぼ９０度の角度間隔を置き、かつ軸方向に互いに前後差を置いて固定されている。また、前記手摺り本体は外管と内管との二重管からなり、伸縮自在である。
【考案の効果】
【０００９】
この考案によれば、手摺りは２つのクランプを介して足場を構成する支柱及び連結材の双方に固定される構造となっているので、仮にクランプが緩んでも手摺り自体が回転することはなく、安全性を確保することができる。
【考案を実施するための最良の形態】
【００１０】
この考案の実施形態を図面を参照しながら以下に説明する。図１はこの考案による一側足場用手摺りの実施形態を示す正面図である。手摺り１は本体２が単管で作られている。本体２は外管２ａと内管２ｂとの二重管からなり、内管２ｂを外管２ａから引き出すことにより伸縮自在となっている。図１において（ａ）が短縮した状態、（ｂ）が伸長した状態を示している。
【００１１】
内管２ｂの外周には長さ方向に沿って溝３が形成されている。他方、外管２ａの外周に蝶ねじからなる止めねじ４が取り付けられ、この止めねじ４の先端部が溝３に嵌り込んでいる。外管２ａから引き出しされた内管２ｂは、止めねじ４を締め付けることにより、外管２ａに固定される。これにより、本体２を所要長さに調整することができる。
【００１２】
内管２ｂの端部には目印５が設けられている。この目印５は黄色等の目に付きやすい色に着色されたキャップからなる。このような目印を付けることにより、足場を構成する単管とは異なることが一目で分かり、手摺り位置であることを作業者に知らせることができる。外管２ａには、持ち運びのための取っ手６が設けられている。
【００１３】
本体２の端部、具体的には外管２ａの端部外周には２つのクランプ７，８が設けられている。これら２つのクランプ７，８は外管２ａの外周にほぼ９０度の角度間隔を置き、かつ外管２ａの軸方向に前後差をおいて外管２ａに固定されている。クランプ７，８の外管２ａへの固定は、溶接等種々の手段を採用することができる。この場合、クランプ７，８を外管２ａに直接固定してもよいし、図１に示すように、クランプ７，８を固定リング９を介して外管２ａに固定してもよい。
【００１４】
クランプ７，８は周知のものであり、図１では概略的に示されているが、その詳細構造の一例が図２に示されている。クランプ７，８は基部１０と、その端部にピン１１を介して回動自在に設けられる開閉部１２とからなり、開閉部１２を基部１０側に回動させることにより単管外周を抱き込むようになっている。基部１０の端部にはピン１３を介して回動自在なボルト１４が設けられている。そして、開閉部１２の先端に設けた切欠き１５にボルト１４を嵌め込み、ボルト１４に取り付けたナット１６を締め付けることにより、基部１０及び開閉部１２で単管を締め付けて把持するようになっている。このようなクランプ７，８は、その基部１０側において図１に示した手摺り本体２（外管２ａ）に固定される。
【００１５】
図３は、上記手摺り１が取り付けられる一側足場を示している。図示の例はマンションの外壁工事のための足場である。一側足場は、マンション外壁周囲に単管を用いて多数の支柱（縦単管）２０を立設し、支柱２０間を単管からなる連結材（横単管）２１で連結し、その骨組みが形成される。支柱２０にはベランダブラケット２２及び伸縮ブラケット２３が支柱２０からマンション外壁側に突出するように取り付けられ、ベランダブラケット２２はマンションベランダ２４に掛け止めされる。これにより、足場骨組みが倒れないように支持される。２６は足場を覆うためのメッシュシートである。
【００１６】
伸縮ブラケット２３には作業床２５が掛け渡され、作業者はこの作業床２５上を歩行することが可能である。この考案の手摺り１は、作業床２５の端部上方に設置される。具体的には、２つのクランプ７，８のうち一方のクランプ７を支柱２０に固定し、他方のクランプ８を連結材２１に固定する（図１（ｂ）も併せて参照）。この手摺り１があることにより、作業者が作業床端部から墜落することが防止される。そして、手摺り１は２つのクランプ７，８を介して支柱２０及び連結材２１の双方に固定されているので、仮にクランプ７，８が緩んでも手摺り自体が回転することはなく、安全性を確保することができる。なお、図３において手摺り１は、ある高さレベルの作業床に関してのみ示されているが、それ以外の高さレベルの作業床に関しても設置される。
【図面の簡単な説明】
【００１７】
【図１】この考案の実施形態を示す正面図である。
【図２】クランプの詳細の一例を示す図である。
【図３】一側足場を示す側面図である。
【符号の説明】
【００１８】
１      手摺り
２      手摺り本体
２ａ      外管
２ｂ      内管
３      溝
５      目印
７，８      クランプ
２０      支柱
２１      連結材
２２      ベランダブラケット
２３      伸縮ブラケット
２４      マンションベランダ
２５      作業床
【図１】
0003140827.tif 000003
【図２】
0003140827.tif 000004
【図３】
0003140827.tif 000005